(57)【要約】【課題】設置場所に制限のある極小規模かつコンパクトな文書細断屑用古紙再生装置で用いられる揺動濾過装置であって、古紙以外の異物が離解されずに底に溜まったり、後の工程で目詰まりの原因となることがない新規な揺動濾過装置を提供する。【解決手段】古紙を離解して再生パルプ懸濁液とするパルパーと該再生パルプ懸濁液から再生紙を抄造する抄紙機を含む文書細断屑用古紙再生装置において用いられる揺動濾過装置であって、貯留容器と、該貯留容器に設けられ前記再生パルプ懸濁液を該貯留容器に供給するための再生パルプ懸濁液供給パイプと、該再生パルプ懸濁液を通過させて濾過するための濾過手段と、該濾過手段に取付けられ該濾過手段を揺動せしめるための揺動手段と、該貯留容器に設けられ、濾過後の再生パルプ懸濁液を排出するための再生パルプ懸濁液排出パイプと、を含むようにした。【選択図】図１
2008133564.tif 000002
【特許請求の範囲】
【請求項１】
古紙を離解して再生パルプ懸濁液とするパルパーと該再生パルプ懸濁液から再生紙を抄造する抄紙機を含む文書細断屑用古紙再生装置において用いられる揺動濾過装置であって、
貯留容器と、
該貯留容器に設けられ前記再生パルプ懸濁液を該貯留容器に供給するための再生パルプ懸濁液供給パイプと、
該再生パルプ懸濁液を通過させて濾過するための濾過手段と、
該濾過手段に取付けられ該濾過手段を揺動せしめるための揺動手段と、
該貯留容器に設けられ、濾過後の再生パルプ懸濁液を排出するための再生パルプ懸濁液排出パイプと、
を含むことを特徴とする揺動濾過装置。
【請求項２】
前記揺動手段が、
前記濾過手段の上部に取付けられたクランクと、
該クランクに係合せしめられたギアモーターと、
該ギアモーターに係合して該濾過手段の上方に設けられたガイドレールと、
を含むことを特徴とする請求項１記載の揺動濾過装置。
【請求項３】
前記濾過手段が、網籠であることを特徴とする請求項１又は２記載の揺動濾過装置。
【請求項４】
前記貯留容器が、前記貯留容器に水を供給するための水供給パイプと、をさらに含み、前記再生パルプ懸濁液の濃度調整を行うようにしたことを特徴とする請求項１〜３いずれか１項記載の揺動濾過装置。
【発明の詳細な説明】
【技術分野】
【０００１】
本発明は、オフィス文書などの古紙を離解して再生パルプ懸濁液とするパルパーと該再生パルプ懸濁液から再生紙を抄造する抄紙機を含むオフィス設置型の文書細断屑用古紙再生装置において用いられる新規な揺動濾過装置に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該離解された再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、図７に示すような文書細断屑用古紙再生装置を提案した（特許文献２参照）。図７において、文書細断屑用古紙再生装置１は、文書細断屑Ｐを投入するためのホッパー４を有し、槽と槽の内底部に攪拌手段６a，８aを備えた第一パルパー６及び第二パルパー８を含み文書細断機によって細断された古紙を離解して再生パルプ懸濁液Ｐ１，Ｐ２とするパルパー２と、該再生パルプ懸濁液から再生紙を抄造する抄紙機３とからなる文書細断屑用古紙再生装置であって、該抄紙機３のドライヤーパート部４０が、内部中空の筐体４１と、該筐体４１内に少なくとも一部が上下又は左右に交互に配置された複数の回転自在なロール４６ａ，４６ｂ，４６ｃ，４６ｄ，４６ｅ，４６ｆ，４６ｇ，４６ｈ，４６ｉ，４６ｊ，４６ｋ，４６ｌ，４６ｍと、該ロール４６ａ〜４６ｍ間に係回された無端帯状のキャンバス４４とを有する乾燥チャンバー４２、並びに該乾燥チャンバー４２に連通し、該乾燥チャンバー４２内の雰囲気を循環しつつ除湿乾燥するヒートポンプ方式の除湿乾燥機からなるドライヤー５０とから構成されている。符号Ｗは水であり、符号７，９はポンプである。
【０００４】
上記した図７及び特許文献２に記載された文書細断屑用古紙再生装置は会社のオフィスに設置できる程のコンパクト設計であるため、比較的小型で高熱とならず且つ乾燥能力の劣らない新たな抄紙工程のドライヤーパートを実現でき、また、系内の使用水量を最小限とし、併せて、古紙再生工程の省略化及び装置の小型化・簡略化によって、文書細断屑の再生を企業、官庁、組合、団地或いは地方公共団体等の各組織単位で行い得るようにして、焼却・埋め立て処分とされていた文書細断屑をリサイクル可能とし、省資源・省エネルギー化、古紙回収にかかる時間短縮や労力軽減を図ることができるという効果を有する。
【０００５】
しかしながら、上記した図７及び特許文献２に記載された文書細断屑用古紙再生装置では、ホッパー４から供給された文書細断屑に紙以外の異物が入っていた場合には、離解されずに底に溜まってしまったり、後の工程で目詰まりの原因となったりするという問題があった。
【０００６】
特に、会社のオフィスで不要となった文書にはホッチキスやクリップがついたままのものや、ビニール袋などがついたままのものがあり、これらをそのまま文書細断機で文書細断屑とすると、文書細断屑に紙以外の異物が混入し、後の工程で目詰まりなどの原因となっていた。
【特許文献１】特開平１０−３１７２９０号公報
【特許文献２】特開２００６−１６９７１０号公報
【発明の開示】
【発明が解決しようとする課題】
【０００７】
本発明は、上記問題点に鑑みてなされたもので、設置場所に制限のある極小規模かつコンパクトな文書細断屑用古紙再生装置で用いられる揺動濾過装置であって、古紙以外の異物が離解されずに底に溜まったり、後の工程で目詰まりの原因となることがない新規な揺動濾過装置を提供することを目的とする。
【課題を解決するための手段】
【０００８】
本発明の揺動濾過装置は、古紙を離解して再生パルプ懸濁液とするパルパーと該再生パルプ懸濁液から再生紙を抄造する抄紙機を含む文書細断屑用古紙再生装置において用いられる揺動濾過装置であって、
貯留容器と、
該貯留容器に設けられ前記再生パルプ懸濁液を該貯留容器に供給するための再生パルプ懸濁液供給パイプと、
該再生パルプ懸濁液を通過させて濾過するための濾過手段と、
該濾過手段に取付けられ該濾過手段を揺動せしめるための揺動手段と、
該貯留容器に設けられ、濾過後の再生パルプ懸濁液を排出するための再生パルプ懸濁液排出パイプと、
を含むことを特徴とする。
【０００９】
このように構成すれば、濾過手段を揺動させることで、パルパーから供給された再生パルプ懸濁液を効率よく濾過することができる。
【００１０】
前記揺動手段としては、前記濾過手段の上部に取付けられたクランクと、該クランクに係合せしめられたギアモーターと、該ギアモーターに係合して該濾過手段の上方に設けられたガイドレールと、を含むように構成するのが好ましい。なお、前記濾過手段を揺動せしめる構成であれば他の構成も揺動手段として勿論採用可能である。
【００１１】
前記濾過手段としては、網籠が好適である。しかしながら、再生パルプ懸濁液を濾過することができる材料であればよいものであるから、網籠の他にも種々の濾過手段が適用可能である。網籠の他にも例えば不織布や多孔性材料などが使用可能である。
【００１２】
さらに、前記貯留容器が、前記貯留容器に水を供給するための水供給パイプと、をさらに含む構成とするのが好ましい。このように構成すれば、該貯留容器の前記再生パルプ懸濁液を適宜水で薄めることができるので該再生パルプ懸濁液の濃度調整を行うことが可能となる。
【００１３】
本発明の揺動濾過装置が用いられる文書細断屑用古紙再生装置は、設置場所に制限のある極小規模かつコンパクトな文書細断屑用古紙再生装置であり、一般のオフィスなどに設置が可能なオフィス設置型の文書細断屑用古紙再生装置である。
【発明の効果】
【００１４】
本発明によれば、設置場所に制限のある極小規模かつコンパクトな文書細断屑用古紙再生装置で用いられる揺動濾過装置であって、古紙以外の異物が離解されずに底に溜まったり、後の工程で目詰まりの原因となることがない新規な揺動濾過装置を提供することができるという著大な効果を奏する。
【００１５】
したがって、本発明の揺動濾過装置を組み込んだ文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができるという大きな効果を奏する。
【発明を実施するための最良の形態】
【００１６】
以下に本発明の実施の形態を添付図面に基づいて説明するが、図示例は例示的に示されたもので、本発明の技術的思想から逸脱しない限り種々の変形が可能なことは言うまでもない。
【００１７】
図１は本発明の揺動濾過装置の一つの実施の形態を示す概略斜視図、図２は本発明の揺動濾過装置に好適に用いられる網籠の一つの実施の形態を示す概略斜視図、図３は図１の揺動濾過装置の概略上面図、図４は図１の揺動濾過装置の概略正面図、図５は図１の揺動濾過装置の概略側面図、図６は本発明の揺動濾過装置を組み込んだ文書細断屑用古紙再生装置の概念説明図である。
【００１８】
図１〜図６において、符号１００は本発明に係る揺動濾過装置を示す。本発明の揺動濾過装置１００は、貯留容器１０２と、該貯留容器１０２に設けられ再生パルプ懸濁液ＰＬを該貯留容器１０２に供給するための再生パルプ懸濁液供給パイプ１０４と、該再生パルプ懸濁液ＰＬを通過させて濾過するための濾過手段１０６（図示例では網籠）と、該濾過手段１０６に取付けられ該濾過手段１０６を揺動せしめるための揺動手段１０８と、該貯留容器１０２に設けられ、濾過された再生パルプ懸濁液を排出するための再生パルプ懸濁液排出パイプ１１０と、を含む構成とされている。さらに、貯留容器１０２に水を供給するための水供給パイプ１１２が貯留容器１０２には設けられている。なお、符号１０９は貯留容器１０２を把持するための取っ手を示し、符号１１１は貯留容器１０２の再生パルプ懸濁液ＰＬの水量を計るための水面計を示す。
【００１９】
図２に示した如く、濾過手段１０６として網籠を使用した例を示したが、濾過作用を奏するものであれば網籠以外でも適用可能である。符号１２０は濾過手段１０６（図示例では網籠）の枠部材である。揺動手段１０８としては、図１、図３〜図５によく示される如く、濾過手段１０６（図示例では網籠）の上部に取付けられたクランク１１４と、該クランク１１４に係合せしめられたギアモーター１１６と、該ギアモーター１１６に係合して該濾過手段１０６の上方に設けられたガイドレール１１８と、を含むように構成されている。
【００２０】
このようにして、ガイドレール１１８内でギアモーター１１６が駆動するとクランク１１４を介して濾過手段１０６（図示例では網籠）が上下動することで揺動せしめられる。また、水供給パイプ１１２から水を供給することで貯留容器１０２内の再生パルプ懸濁液ＰＬの濃度を適宜調整することが可能とされている。
【００２１】
なお、揺動手段１０８としては、濾過手段１０６を揺動せしめる構成であればよいものであるから、図示例以外の構成も揺動手段１０８として採用可能であることは言うまでもない。
【００２２】
次に、上記のように構成された揺動濾過装置１００を特許文献２に示されるような文書細断屑用古紙再生装置に組み入れた例を図６に示す。
【００２３】
図６において、文書細断屑用古紙再生装置１２６は、文書細断屑Ｐを投入するためのホッパー４を有し、槽と槽の内底部に攪拌手段６a，８aを備えた第一パルパー６及び第二パルパー８を含み文書細断機によって細断された古紙を離解して再生パルプ懸濁液Ｐ１，Ｐ２とするパルパー２と、該再生パルプ懸濁液から再生紙を抄造する抄紙機３とからなる文書細断屑用古紙再生装置であって、該抄紙機３のドライヤーパート部４０が、内部中空の筐体４１と、該筐体４１内に少なくとも一部が上下又は左右に交互に配置された複数の回転自在なロール４６ａ，４６ｂ，４６ｃ，４６ｄ，４６ｅ，４６ｆ，４６ｇ，４６ｈ，４６ｉ，４６ｊ，４６ｋ，４６ｌ，４６ｍと、該ロール４６ａ〜４６ｍ間に係回された無端帯状のキャンバス４４とを有する乾燥チャンバー４２、並びに該乾燥チャンバー４２に連通し、該乾燥チャンバー４２内の雰囲気を循環しつつ除湿乾燥するヒートポンプ方式の除湿乾燥機からなるドライヤー５０とから構成されている。符号Ｗは水である。なお、図７に示した従来技術と同様の部材については同一の符号を用いた。
【００２４】
文書細断屑用古紙再生装置１２６には、第一パルパー６及び第二パルパー８との間に上記した本発明に係る揺動濾過装置１００が設けられている。なお、符号１２２，１２４はポンプである。
【００２５】
図６において、再生パルプ懸濁液供給パイプ１０４は第一パルパー６に接続されており、再生パルプ懸濁液排出パイプ１１０は第二パルパー８に接続されている。したがって、第一パルパー６から供給された再生パルプ懸濁液ＰＬは、揺動している濾過手段１０６（図示例では網籠）を通過して貯留容器１０２内に貯留された後、再生パルプ懸濁液排出パイプ１１０を介して第二パルパー８へと送られる（図１〜６）。また、水Ｗを水供給パイプ１１２から適宜供給することで、貯留容器１０２内の再生パルプ懸濁液ＰＬの濃度調整が適宜行われる。
【００２６】
このように、本発明の揺動濾過装置１００を図６に示すような文書細断屑用古紙再生装置（特許文献２参照）に組み込んで使用すれば、再生パルプ懸濁液が濾過されるので、古紙以外の異物が混入したとしても、後の工程で目詰まりの原因となることがない。
【図面の簡単な説明】
【００２７】
【図１】図１は本発明の揺動濾過装置の一つの実施の形態を示す概略斜視図である。
【図２】本発明の揺動濾過装置に好適に用いられる網籠の一つの実施の形態を示す概略斜視図である。
【図３】図１の揺動濾過装置の概略上面図である。
【図４】図１の揺動濾過装置の概略正面図である。
【図５】図１の揺動濾過装置の概略側面図である。
【図６】本発明の揺動濾過装置を組み込んだ文書細断屑用古紙再生装置の概念説明図である。
【図７】従来の文書細断屑用古紙再生装置の概略図である。
【符号の説明】
【００２８】
１：文書細断屑用古紙再生装置、２：パルパー、３：抄紙機、４：ホッパー、６：第一パルパー、８：第二パルパー、７，９：ポンプ、６a，８a：攪拌手段、４０：ドライヤーパート部、４１：筐体、４２：乾燥チャンバー、４４：キャンバス、４６ａ，４６ｂ，４６ｃ，４６ｄ，４６ｅ，４６ｆ，４６ｇ，４６ｈ，４６ｉ，４６ｊ，４６ｋ，４６ｌ，４６ｍ：ロール、５０：ドライヤー、Ｐ：文書細断屑、Ｐ１，Ｐ２：再生パルプ懸濁液、Ｗ：水、１００：揺動濾過装置、１０２：貯留容器、１０４：再生パルプ懸濁液供給パイプ、１０６：濾過手段、１０８：揺動手段、１０９：取っ手、１１０：再生パルプ懸濁液排出パイプ、１１１：水面計、１１２：水供給パイプ、１１４：クランク、１１６：ギアモーター、１１８：ガイドレール、１２０：枠部材、１２６：文書細断屑用古紙再生装置、１２２，１２４：ポンプ、ＰＬ：再生パルプ懸濁液。
【図１】
2008133564.tif 000003
【図２】
2008133564.tif 000004
【図３】
2008133564.tif 000005
【図４】
2008133564.tif 000006
【図５】
2008133564.tif 000007
【図６】
2008133564.tif 000008
【図７】
2008133564.tif 000009